(57)【要約】      （修正有）【課題】特定の構造を有する飲料容器保持具だけでなく、諸種の飲料容器保持具に適用可能な汎用性を有するものであり、コーヒー，紅茶等の飲料に入れられるミルクやシロップ等が入った小容器を飲料容器に安定してセットする事を支援する、飲料容器保持具用サポート用具を提供する。【解決手段】飲料容器保持具用サポート用具１０は、長さ方向を有し、弾性を備えたシート状の本体１２と、該本体１２の長さ方向の一方側に配設され、飲料容器保持具Ｈに保持された飲料容器Ｃと飲料容器保持具Ｈとの間に挿入されて、飲料容器Ｃおよび飲料容器保持具Ｈ間に着脱自在に挟装される挟装部１４と、本体１２の長さ方向の他方に配設され、小容器Ｐが保持される保持孔を有する容器保持部１８とを含むことを特徴とする。【選択図】図３
0003163173.tif 000002
【実用新案登録請求の範囲】
【請求項１】
コーヒー，紅茶等の飲料が入れられた有底筒状の飲料容器を保持する飲料容器保持具と共に用いられ、前記飲料に入れられる砂糖，ミルク，クリーム，シロップ等の風味引き立て調整品を収容した小容器を保持して前記飲料容器にセットするのを支援する飲料容器保持具用サポート用具であって、
前記飲料容器保持具用サポート用具は、
長さ方向を有し、弾性を備えたシート状の本体、
前記本体の長さ方向の一方側に配設され、前記飲料容器保持具に保持された前記飲料容器と前記飲料容器保持具との間に挿入されて、前記飲料容器および前記飲料容器保持具間に着脱自在に挟装される挟装部、および
前記本体の長さ方向の他方に配設され、前記小容器が保持される保持孔を有する容器保持部を含むことを特徴とする、飲料容器保持具用サポート用具。
【請求項２】
前記本体の長さ方向の中間部に配設され、前記風味引き立て調整品を収容したスティック状の容器および／またはストロー，マドラー等の棒状の食品用具が挿通された状態で挟持される挟持部をさらに含むことを特徴とする、請求項１に記載の飲料容器保持具用サポート用具。
【請求項３】
前記小容器は、柱体状の容器本体、前記容器本体の軸方向の一端面に配設され、前記容器本体の径方向の長さよりも大径のフランジ面を含み、前記保持孔は、前記容器本体の軸方向の他端面より大径で且つ前記フランジ面の径より小径の保持孔を含み、
前記小容器は、前記保持孔に前記フランジ面が掛止されて保持されていることを特徴とする、請求項１に記載の飲料容器保持具用サポート用具。
【請求項４】
前記挟持部は、前記本体の幅方向に間隔を隔てて長さ方向に所定の長さ延び設けられる１対のスリットを含み、前記１対のスリットに挟まれた部分を、前記本体の主面に略直交する方向に押圧して、前記部分を前記本体の一方主面側若しくは他方主面側に突出させることにより、前記挟持部が形成されることを特徴とする、請求項２に記載の飲料容器保持具用サポート用具。
【請求項５】
前記挟持部は、
前記本体の幅方向に間隔を隔てて平行に対向して形成され、且つ、前記本体の長さ方向に延び設けられた同じ長さを有する１対のスリット、
前記１対のスリットの長さ方向の両端部に略直角に交差して配設される両側折り曲げ線、および
前記１対のスリットの長さ方向の中間部に略直角に交差して配設される中間折り曲げ線を含み、
前記１対のスリットと前記両側折り曲げ線の中間部とで囲繞された囲繞部分を、前記本体の主面に略直交する方向に押圧して、前記囲繞部分を前記両側折り曲げ線と前記中間折り曲げ線との協働した折り曲げ作用によって、前記本体の一方主面側若しくは他方主面側に突出させることにより、前記挟持部が形成されることを特徴とする、請求項４に記載の飲料容器保持具用サポート用具。
【請求項６】
前記挟装部は、
テーパ部を有する先細り状の挟装片、および
前記挟装片と前記１対のスリットとの間で前記本体の幅方向の一端から他端に延び設けられる挟装部折り曲げ線を含み、
前記挟装部折り曲げ線で折り曲げられた折り曲げ部分が、前記飲料容器保持具に保持された前記飲料容器と前記飲料容器保持具との間に挿入されて、前記飲料容器および前記飲料容器保持具間に着脱自在に挟装されることを特徴とする、請求項４に記載の飲料容器保持具用サポート用具。
【考案の詳細な説明】
【技術分野】
【０００１】
本願考案は、飲料容器保持具用サポート用具に関し、特に、たとえば紙製またはプラスチック製で有底筒状の飲料容器を保持する飲料容器保持具と共に用いられ、飲料容器に入れられたコーヒー，紅茶等の飲料に入れるための液体状のミルクやシロップの入ったたとえばポーションタイプの小容器、砂糖やパウダー状のミルクの入ったスティック状の容器、ストロー，マドラー等の棒状の食品用具などを保持して飲料容器にセットするのを支援することができる、飲料容器保持具用サポート用具に関する。
【背景技術】
【０００２】
本願考案の背景となる従来技術の一例としては、紙コップ等の筒状飲料用容器に収容されたビール、清涼飲料等の飲み物と、このような飲み物と一緒に食されるつまみ類とをセットにして販売する際に使用される飲料用容器保持具があった（例えば、特許文献１参照。）。この従来技術では、飲み物とつまみ類とが片手で持ち易いものとなり、つまみ類収容部からつまみ類を容易に取り出すことができる。
【０００３】
また、本願考案の背景となる従来技術の他の例としては、喫茶店等で飲物を入れた碗やコップの縁に掛止して使用され、外周側面に所望の文字，図柄等を表示すると共に、フレッシュやガムシロップの入った小容器を収容したり、あるいは、ストローや砂糖を入れた棒状の容器を起立状に保持するようにした装飾機能を備えたストロー等のホルダーがあった（例えば、特許文献２参照。）。この従来技術では、掛止部を碗，コップ等の上端開口縁に掛止して使用するようにしたので、体裁が良く、喫茶店等でコーヒーや紅茶等の飲物に付けるフレッシュやガムシロップ入りの小容器ないし砂糖を入れた棒状の容器やストロー等の収容したものを落下させることなく安全に取り扱かうことができる。その上、ホルダー本体の側面に文字，図柄を印刷することにより広告宣伝の媒体として活用することができ、各種の景品としても使用することができる。
【先行技術文献】
【特許文献】
【０００４】
【特許文献１】実公平７−２８１２１号公報（第２〜３頁、第１図〜第５図）
【特許文献２】実用新案登録第３０２５０２５号公報（第６〜第９頁、第６図〜第７図）
【考案の概要】
【考案が解決しようとする課題】
【０００５】
しかしながら、上記した前者の従来技術では、筒状体の上半部に配設された飲料用容器保持部と、下半部に配設されたつまみ類収容部とが一体的に形成され、当該つまみ類収容部は、この従来技術に特定された構造の飲料用容器保持具にのみ適用されるものとなっている。この従来技術では、飲物と一緒に食されるつまみ類を筒状飲料用容器にセットアップすることができるものの、つまみ類収容部が特定の飲料用容器保持具に専用のものとなっていて、構造の異なる他の飲料用容器保持具には適用できないという不具合があり、汎用性の無いものであった。
一方、後者の従来技術では、単に、掛止部を碗，コップ等の上端開口縁に掛止して使用するので、掛止部および左右側片間の開き角度によっては掛止部に対して比較的小さな外力が作用した場合でも、ホルダーに揺れが生じ、掛止部が碗およびコップ等の容器の上端開口縁から外れてホルダーが容器から脱落する虞があった。そのため、この従来技術では、フレッシュやガムシロップの入った小容器（所謂、ポーションタイプの容器）および砂糖の入ったスティック状の容器並びにストロー等の棒状の食品用具を碗やコップ等の飲料容器に安定してセットするには不具合の有するものであった。
また、この従来技術では、収容部の底面にフレッシュやガムシロップの入った小容器を載置して収容したり、切り込みないし小孔を有する保持部に砂糖の入ったスティック状の容器やストロー等の棒状の食品用具を差し込んで保持することができるものの、小容器およびスティック状の容器並びに棒状の食品用具の両方を一緒に保持することは困難であった。
【０００６】
それゆえに、本願考案の主たる目的は、特定の構造を有する飲料容器保持具だけでなく、諸種の飲料容器保持具に適用可能な汎用性を有するものであり、コーヒー，紅茶等の飲料に入れられるミルクやシロップ等が入った小容器を飲料容器に安定してセットする事を支援する、飲料容器保持具用サポート用具を提供することである。
また、本願考案の他の目的は、上記小容器に加えて、砂糖やパウダー状のミルクの入ったスティック状の容器若しくはストロー，マドラー等の棒状の食品用具の少なくともいずれか一方を飲料容器に安定してセットする事を支援する、飲料容器保持具用サポート用具を提供することである。
【課題を解決するための手段】
【０００７】
請求項１に係る本願考案は、コーヒー，紅茶等の飲料が入れられた有底筒状の飲料容器を保持する飲料容器保持具と共に用いられ、飲料に入れられる砂糖，ミルク，クリーム，シロップ等の風味引き立て調整品を収容した小容器を保持して飲料容器にセットするのを支援する飲料容器保持具用サポート用具であって、飲料容器保持具用サポート用具は、長さ方向を有し、弾性を備えたシート状の本体と、本体の長さ方向の一方側に配設され、飲料容器保持具に保持された飲料容器と飲料容器保持具との間に挿入されて、飲料容器および飲料容器保持具間に着脱自在に挟装される挟装部と、本体の長さ方向の他方に配設され、小容器が保持される保持孔を有する容器保持部とを含むことを特徴とする、飲料容器保持具用サポート用具である。
請求項１に係る本願考案では、挟装部を飲料容器と飲料容器保持具との間に着脱自在に挟装し、容器保持部の保持孔に小容器を保持させることによって、小容器に収容された砂糖，ミルク，クリーム，シロップ等の風味引き立て調整品を、コーヒー，紅茶等の飲料が入れられた飲料容器に簡単にセットする事が可能となる。この場合、当該飲料容器保持具用サポート用具は、着脱自在に飲料容器および飲料容器保持具間に挟装されるため、特定の構造を有する飲料容器保持具だけでなく、諸種の飲料容器保持具に適用することが可能な汎用性の高いものとなっている。さらに、飲料容器および飲料容器保持具間に挟装された挟装部は、それに外力が作用した場合でも、飲料容器から外れて飲料容器保持具用サポート用具が飲料容器から脱落する虞が無く、そのため、当該飲料容器保持具用サポート用具を飲料容器に安定してセットすることが可能となっている。
請求項２に係る本願考案は、請求項１に係る考案に従属する考案であって、本体の長さ方向の中間部に配設され、風味引き立て調整品を収容したスティック状の容器および／またはストロー，マドラー等の棒状の食品用具が挿通された状態で挟持される挟持部をさらに含むことを特徴とする、飲料容器保持具用サポート用具である。
請求項２に係る本願考案では、風味引き立て調整品を収容したスティック状の容器および／またはストロー，マドラー等の棒状の食品用具を、挟持部に挿通した状態で挟持させることによって、上記した小容器だけでなく、スティック状の容器および／または棒状の食品用具も一緒に飲料容器に簡単にセットする事が可能となる。
請求項３に係る本願考案は、請求項１に係る考案に従属する考案であって、小容器は、柱体状の容器本体と、容器本体の軸方向の一端面に配設され、容器本体の径方向の長さよりも大径のフランジ面とを含み、保持孔は、容器本体の軸方向の他端面より大径で且つフランジ面の径より小径の保持孔を含み、小容器は、保持孔にフランジ面が掛止されて保持されていることを特徴とする、飲料容器保持具用サポート用具である。
請求項３に係る本願考案では、保持孔に小容器のフランジ面が掛止されることによって、当該小容器が保持孔に保持される。
請求項４に係る本願考案は、請求項２に係る考案に従属する考案であって、挟持部は、本体の幅方向に間隔を隔てて長さ方向に所定の長さ延び設けられる１対のスリットを含み、１対のスリットに挟まれた部分を、本体の主面に略直交する方向に押圧して、当該部分を本体の一方主面側若しくは他方主面側に突出させることにより、挟持部が形成されることを特徴とする、飲料容器保持具用サポート用具である。
請求項４に係る本願考案では、１対のスリットに挟まれた部分を本体の主面に略直交する方向に押圧し、本体の一方主面側若しくは他方主面側に突出させることにより、当該１対のスリットに挟まれた部分と本体の主面との間に、スティック状の容器および／または棒状の食品用具を挿通させるための挟持部が構成される。
請求項５は、請求項４に係る考案に従属する考案であって、挟持部は、本体の幅方向に間隔を隔てて平行に対向して形成され、且つ、本体の長さ方向に延び設けられた同じ長さを有する１対のスリットと、１対のスリットの長さ方向の両端部に略直角に交差して配設される両側折り曲げ線と、１対のスリットの長さ方向の中間部に略直角に交差して配設される中間折り曲げ線とを含み、１対のスリットと両側折り曲げ線の中間部とで囲繞された囲繞部分を、本体の主面に略直交する方向に押圧して、囲繞部分を両側折り曲げ線と中間折り曲げ線との折り曲げ作用によって、本体の一方主面側若しくは他方主面側に突出させることにより、挟持部が形成されることを特徴とする、飲料容器保持具用サポート用具である。
請求項５に係る本願考案では、１対のスリットの長さ方向の両端部に両側折り曲げ線が、１対のスリットの長さ方向の中間部に中間折り曲げ線がそれぞれ配設されているため、１対のスリットと両側折り曲げ線の中間部とで囲繞された囲繞部分を、本体の主面に略直交する方向に押圧したとき、両側折り曲げ線と中間折り曲げ線との折り曲げ作用によって、本体の一方主面側若しくは他方主面側に当該囲繞部分が突出させ易いものとなり、至極簡単に挟持部を構成することが可能となる。
請求項６は、請求項４に係る考案に従属する考案であって、挟装部は、テーパ部を有する先細り状の挟装片と、挟装片と１対のスリットとの間で本体の幅方向の一端から他端に延び設けられる挟装部折り曲げ線とを含み、挟装部折り曲げ線で折り曲げられた折り曲げ部分が、飲料容器保持具に保持された飲料容器と飲料容器保持具との間に挿入されて、飲料容器および飲料容器保持具間に着脱自在に挟装されることを特徴とする、飲料容器保持具用サポート用具である。
請求項６に係る本願考案では、飲料容器と飲料容器保持具との間に、挟装片が着脱自在に挟装される。挟装片は、テーパ部を有する先細り状に形成されて、当該挟装片を飲料容器および飲料容器保持具間に挿入する際の抵抗がより小さいものとなるため、当該挟装片を比較的簡単に挿入することが可能となる。この場合、挟装部折り曲げ線で折り曲げられた折り曲げ部分には、上記した挟装片が含まれるため、当該折り曲げ部分は、飲料容器および飲料容器保持具間により一層挿入させ易いものとなっている。
【考案の効果】
【０００８】
本願考案によれば、特定の構造を有する飲料容器保持具だけでなく、諸種の飲料容器保持具に適用可能な汎用性を有するものであり、コーヒー，紅茶等の飲料に入れられるミルクやシロップ等が入った小容器を飲料容器に安定してセットする事を支援する、飲料容器保持具用サポート用具が得られる。また、本願考案によれば、上記小容器に加えて、砂糖やパウダー状のミルクの入ったスティック状の容器若しくはストロー等の棒状の食品用具の少なくともいずれか一方を飲料容器に安定してセットする事を支援する、飲料容器保持具用サポート用具が得られる。
【０００９】
本願考案の上述の目的、その他の目的、特徴および利点は、図面を参照して行う以下の考案を実施するための形態の説明から一層明らかとなろう。
【図面の簡単な説明】
【００１０】
【図１】本願考案に係る飲料容器保持具用サポート用具の実施形態の一例を示す平面図である。
【図２】図１に示す飲料容器保持具用サポート用具の折り曲げ状態の一例を示す斜視図である。
【図３】図１および図２に示す飲料容器保持具用サポート用具の使用状態の一例を斜視図である。
【図４】図３の要部断面図である。
【考案を実施するための形態】
【００１１】
図１は、本願考案に係る飲料容器保持具用サポート用具の実施形態の一例を示す平面図であり、図２は、図１に示す飲料容器保持具用サポート用具の折り曲げ状態の一例を示す斜視図である。また、図３は、図１および図２に示す飲料容器保持具用サポート用具の使用状態の一例を斜視図であり、図４は、図３の要部断面図である。
この実施形態例に係る飲料容器保持具用サポート用具１０は、たとえば図３に示すように、コーヒー，紅茶等の飲料Ｄが入れられた有底筒状の飲料容器Ｃを保持する飲料容器保持具Ｈと共に用いられ、飲料Ｄに入れられる砂糖，ミルク，クリーム，シロップ等の風味引き立て調整品を収容した小容器Ｐを保持して飲料容器Ｃにセットするのを支援する飲料容器保持具用サポート用具である。本願考案に係る実施形態例でいう「風味引き立て調整品」とは、飲用者の嗜好に応じて、コーヒー，紅茶等の飲料に入れられる砂糖，ミルク，クリーム，シロップのことを示すものである。
【００１２】
飲料容器保持具用サポート用具１０（以下、単に、「サポート用具１０」という。）は、図１に示すように、長さ方向を有し、弾性を備えたシート状の本体１２を含む。本体１２は、たとえばある程度の剛性（剛度）を有した腰のある厚紙等の表面に、樹脂フィルム等がコーティングされて、ある程度機械的強度を有するもので形成されている。
本体１２の長さ方向の一方側には、挟装部１４が配設されている。挟装部１４は、図３および図４に示すように、把持部ｈを有するカップ状の飲料容器保持具Ｈに保持された有底筒状の飲料容器Ｃと、飲料容器保持具Ｈとの間に挿入されて、飲料容器Ｃおよび飲料容器保持具Ｈ間に着脱自在に挟装される部位である。
また、本体１２の長さ方向の他方には、保持孔１６を有する容器保持部１８が配設されている。容器保持部１８は、図２，図３，図４に示すように、小容器Ｐが保持される部位である。
さらに、本体１２の長さ方向の中間部には、風味引き立て調整品を収容したスティック状の容器Ｓおよび／またはストロー，マドラー等の棒状の食品用具（図示せず）が挟持される挟持部２０が配設されている。挟持部２０は、スティック状の容器Ｓおよび／または棒状の食品用具（図示せず）をたとえば略水平に挿通させた状態で保持する部位である。
なお、本実施形態例では、本体１２，挟装部１４および容器保持部１８が、型抜き装置等の成形加工によって一体的に形成されている。
【００１３】
ここで、上記した容器保持部１８に保持される小容器Ｐの一例について、たとえば図２〜図４を参照しながら、以下、説明する。
すなわち、小容器Ｐは、図２に示すように、柱体状の容器本体２２と、容器本体の軸方向の一端面に配設され、容器本体２２の径方向の長さよりも大径のフランジ面２４とを含み、フランジ面２４の表面は、樹脂製の天面蓋シート２６等で密閉されている。本実施形態例では、容器本体２２が、たとえば逆円錐台状に形成され、大径側の天面にフランジ面２４が形成されている。
なお、小容器Ｐの形状は、逆円錐台状に限定されるものではなく、フランジ面２４を有する形態であれば、円錐台状、四角錐台状、円柱状、角柱状、円筒状、角筒状等の種々の柱体状の形状に形成され得るものである。
また、本実施形態例では、小容器Ｐに、飲用者の嗜好に応じて飲料Ｄに入れられるシロップ等の甘味料，ミルク，クリーム等の液体状の風味引き立て調整品が収容されている。
【００１４】
一方、容器保持部１８の保持孔１６は、容器本体２２の軸方向の他端面、つまり、容器本体２２の大径側の天面の径より大径で且つフランジ面２４の径より小径に形成されている。小容器Ｐは、保持孔１６の上方から嵌挿され、フランジ面２４が当該保持孔１６の周縁部に掛止されることによって、容器保持部１８に保持されている。
【００１５】
次に、挟持部２０の一例について、たとえば図１〜図４を参照しながら、以下、説明する。
すなわち、挟持部２０は、本体１２の幅方向に間隔を隔てて長さ方向に所定の長さ延び設けられる１対のスリット２８Ａ，２８Ｂを含む。１対のスリット２８Ａ，２８Ｂは、本体１２の幅方向に間隔を隔てて平行に対向して形成され、同じ長さを有するものとなっている。
さらに、挟持部２０は、１対のスリット２８Ａ，２８Ｂの長さ方向の両端部に略直角に交差して配設される両側折り曲げ線３０，３２と、１対のスリット２８Ａ，２８Ｂの長さ方向の中間部のたとえば中央に略直角に交差して配設される中間折り曲げ線３４とを含む。挟持部２０は、１対のスリット２８Ａ，２８Ｂと、両側折り曲げ線３０，３２の中間部とで囲繞された囲繞部分３６を、本体１２の主面に略直交する方向に押圧して、囲繞部分３６を両側折り曲げ線３０，３２および中間折り曲げ線３４の折り曲げ作用により、本体１２の一方主面側若しくは他方主面側に突出させることによって、挟持部２０が形成される。
【００１６】
本実施形態例では、たとえば図２および図４に示すように、両側折り曲げ線３０，３２および中間折り曲げ線３４の協働した折り曲げ作用により、囲繞部分３６の中央部は、たとえば本体１２の一方主面側に二つ折りに曲げられる。したがって、本体１２の一方主面側若しくは他方主面側に当該囲繞部分３６が突出させ易いものとなり、至極簡単に挟持部２０を構成することができる。この場合、図１に示す両側折り曲げ線３０，３２と、１対のスリット２８Ａ，２８Ｂと、本体１２の幅方向の両側で且つ本体１２の長さ方向に延びる線分３８，４０とで囲繞された本体部位４２，４４は、図２および図４に示すように、本体１２の他方主面側に二つ折りに曲げられる。
つまり、囲繞部分３６と本体部位４２，４４とが互いに反対方向に二つ折りに折り曲げられることによって、挟持部２０は、挿通開口部４６を有する態様に構成される。この挿通開口部４６には、たとえば風味引き立て調整品を収容したスティック状の容器Ｓ、および／または、ストロー等の食品吸引具，マドラー等の食品撹拌具などの棒状の食品用具（図示せず）が挿通され、に二つ折りに折り曲げられた囲繞部分３６および本体部位４２，４４間に挟持可能となる。
なお、本実施形態例では、スティック状の容器Ｓに、砂糖やパウダー状のミルク，クリーム等の固体状の風味引き立て調整品が収容されている。
【００１７】
次に、挟装部１４の一例について、たとえば図１〜図４を参照しながら、以下、説明する。
すなわち、挟装部１４は、特に、図１および図２等に示すように、テーパ部４８Ａ，４８Ｂを有する先細り状の挟装片５０と、挟装片５０および１対のスリット２８Ａ，２８Ｂ間で且つ本体１２の幅方向の一端から他端に延び設けられる挟装部折り曲げ線５２とを含む。挟装部折り曲げ線５２で折り曲げられた折り曲げ部分５４は、特に、図３および図４に示すように、飲料容器保持具Ｈに保持された飲料容器Ｃと飲料容器保持具Ｈとの間に挿入されて、飲料容器Ｃと飲料容器保持具Ｈとの間に着脱自在に挟装されるものとなる。
この場合、挟装片５０は、テーパ部４８Ａ，４８Ｂを有する先細り状に形成されているので、当該挟装片５０を飲料容器Ｃおよび飲料容器保持具Ｈ間に挿入する際の抵抗がより小さいものとなって、当該挟装片５０を比較的簡単に挿入することができる。この挟装部折り曲げ線５２で折り曲げられた折り曲げ部分５４には、挟装片５０が含まれるため、折り曲げ部分５４は、飲料容器Ｃおよび飲料容器保持具Ｈ間により一層簡単に挿入させることができる。
【００１８】
上述した実施形態例では、挟装部１４の挟装片５０を飲料容器Ｃと飲料容器保持具Ｈとの間に着脱自在に挟装し、容器保持部１８の保持孔１６に小容器Ｐを保持させることによって、小容器Ｐに収容された砂糖，ミルク，クリーム，シロップ等の風味引き立て調整品を、コーヒー，紅茶等の飲料Ｄが入れられた飲料容器Ｃに簡単にセットする事ができる。このサポート用具１０は、着脱自在に飲料容器Ｃと飲料容器保持具Ｈとの間に挟装されるので、特定の構造を有する飲料容器保持具だけでなく、諸種の飲料容器保持具に適用することができ、極めて汎用性の高いものとなっている。その上、飲料容器Ｃおよび飲料容器保持具Ｈ間に挟装された挟装部１４は、外力が作用した場合でも、飲料容器Ｃから外れてサポート用具１０が飲料容器Ｃから脱落する虞が無い。そのため、サポート用具１０を飲料容器Ｃに安定してセットすることが可能となっている。
さらに、上述した実施形態例では、風味引き立て調整品を収容したスティック状の容器Ｓおよび／またはストロー，マドラー等の棒状の食品用具（図示せず）を、挟持部１４に挿通した状態で挟持させることによって、小容器Ｐだけでなく、スティック状の容器Ｓおよび／または棒状の食品用具（図示せず）も併せて飲料容器Ｃに簡単にセットする事ができる。
【００１９】
上述の実施形態例では、サポート用具１０が紙製のシートを素材として形成されているため、流通過程では、当該サポート用具１０を図１に示すような展開した偏平状態のままで積み重ねることによって、嵩張りの少ない効率的な取り扱いが可能となっている。また、飲料容器Ｃが紙製のカップである場合には、当該サポート用具１０を廃棄するときに、飲料容器Ｃと一緒に使い捨てにすることできるため、廃棄処分に掛かるコストも低いものとなる。
なお、サポート用具１０は、弾性を有するプラスチック製のシート材で形成され得るが、サポート用具１０は、既述したように、本体１２，挟装部１４，容器保持部１８および挟持部２０は、腰のある厚紙等の表面に、樹脂フィルム等がコーティングされて、ある程度機械的強度を有するシート状で一体的に形成されることが好ましい。
【符号の説明】
【００２０】
１０  飲料容器保持具用サポート用具
１２  本体
１４  挟装部
１６  保持孔
１８  容器保持部
２０  挟持部
２２  容器本体
２４  フランジ面
２６  天面蓋シート
２８Ａ，２８Ｂ  １対のスリット
３０，３２  両側折り曲げ線
３４  中間折り曲げ線
３６  囲繞部分
３８，４０  線分
４２，４４  本体部位
４６  挿通開口部
４８Ａ，４８Ｂ  テーパ部
５０  挟装片
５２  挟装部折り曲げ線
５４  折り曲げ部分
Ｃ  飲料容器
Ｄ  飲料
Ｈ  飲料容器保持具
Ｐ  小容器
Ｓ  スティック状の容器
【図１】
0003163173.tif 000003
【図２】
0003163173.tif 000004
【図３】
0003163173.tif 000005
【図４】
0003163173.tif 000006